(57)【要約】【課題】  複数の機能を持つことで、設置店舗のスペース効率向上と、導入コストおよび運用コストの削減とを図ることができる貨幣入出金機の提供。【解決手段】  入金口に投入された投入貨幣を貨幣識別計数手段で金種判定および計数した結果の金額と収納する金額との差額の釣銭貨幣を繰出手段により収納部から出金口に出金させる通常運用モードを実行するものに、両替モードの指定操作がなされる指定手段と、指定手段で両替モードが指定された後に入金口に投入された一回分の投入貨幣を貨幣識別計数手段で金種判定および計数させて収納部に収納させるとともに、一回分の投入貨幣に対する同額の両替貨幣を出金させる両替動作を行わせ、両替動作が完了すると両替モードを自動的に解除して通常運用モードに復帰させる。【選択図】        図５
2005275746.tif 000002
【特許請求の範囲】
【請求項１】
貨幣が投入される入金口と、該入金口に投入された貨幣を金種判定および計数する貨幣識別計数手段と、該貨幣識別計数手段で金種判定および計数された貨幣を金種毎に分けて収納する収納部と、該収納部より指定金種の貨幣を指定枚数繰り出す繰出手段と、該繰出手段により繰り出された貨幣を機外に導く出金口とを有し、前記入金口に投入された投入貨幣を前記貨幣識別計数手段で金種判定および計数した結果の金額と収納する金額との差額の釣銭貨幣を前記繰出手段により前記収納部から前記出金口に出金させる通常運用モードを実行する貨幣入出金機において、
両替モードの指定操作がなされる指定手段と、該指定手段で前記両替モードが指定された後に前記入金口に投入された一回分の投入貨幣を前記貨幣識別計数手段で金種判定および計数させて前記収納部に収納させるとともに、前記一回分の投入貨幣に対する同額の両替貨幣を前記繰出手段により前記収納部から前記出金口に出金させる両替動作を行わせる両替動作手段と、該両替動作が完了すると前記両替モードを自動的に解除して前記通常運用モードに復帰させる復帰手段とを有することを特徴とする貨幣入出金機。
【請求項２】
前記両替動作手段は、前記両替モード時に前記貨幣識別計数手段による金種判定および計数の結果から前記一回分の投入貨幣が単数であると判断した場合に、前記一回分の投入貨幣と同額の予め設定された金種および枚数の組み合わせの貨幣を前記繰出手段により前記収納部から前記出金口に出金させることを特徴とする請求項１記載の貨幣入出金機。
【請求項３】
前記両替動作手段は、前記両替モード時に前記貨幣識別計数手段による金種判定および計数の結果から前記一回分の投入貨幣が複数であると判断した場合に、前記一回分の投入貨幣と同額の最少枚数となる金額の組み合わせを演算して該組み合わせの貨幣を前記繰出手段により前記収納部から前記出金口に出金させることを特徴とする請求項１または２記載の貨幣入出金機。
【請求項４】
前記収納部内に各金種毎に貨幣の収納量を検出する検出手段が設けられ、前記両替動作手段は、前記指定手段で両替モードが指定された際に、いずれか一つの金種において貨幣の収納量が所定量に達したことが前記検出手段で検出された場合には、該収納量が所定量に達した前記収納部から優先的に前記繰出手段により貨幣を前記出金口に出金させることを特徴とする請求項１乃至３のいずれか一項記載の貨幣入出金機。
【発明の詳細な説明】
【技術分野】
【０００１】
本発明は、釣銭を自動的に払い出す貨幣入出金機に関する。
【背景技術】
【０００２】
例えばＰＯＳレジ等の上位機に接続されて釣銭を自動的に払い出す釣銭機として用いられる貨幣入出金機がある（例えば特許文献１参照）
【特許文献１】特許第２９３８７４７号公報
【発明の開示】
【発明が解決しようとする課題】
【０００３】
上記した貨幣入出金機が用いられるコンビニエンスストア等の店舗において、スペース効率向上、機械の導入コスト削減、運用コスト削減等の観点から、各機械に複数の機能を集約させることが望まれており、上記した貨幣入出金機においても例外ではない。
【０００４】
したがって、本発明は、複数の機能を持つことで、設置店舗のスペース効率向上と、導入コストおよび運用コストの削減とを図ることができる貨幣入出金機の提供を目的とする。
【課題を解決するための手段】
【０００５】
上記目的を達成するために、請求項１に係る発明は、貨幣が投入される入金口と、該入金口に投入された貨幣を金種判定および計数する貨幣識別計数手段と、該貨幣識別計数手段で金種判定および計数された貨幣を金種毎に分けて収納する収納部と、該収納部より指定金種の貨幣を指定枚数繰り出す繰出手段と、該繰出手段により繰り出された貨幣を機外に導く出金口とを有し、前記入金口に投入された投入貨幣を前記貨幣識別計数手段で金種判定および計数した結果の金額と収納する金額との差額の釣銭貨幣を前記繰出手段により前記収納部から前記出金口に出金させる通常運用モードを実行する貨幣入出金機において、両替モードの指定操作がなされる指定手段と、該指定手段で前記両替モードが指定された後に前記入金口に投入された一回分の投入貨幣を前記貨幣識別計数手段で金種判定および計数させて前記収納部に収納させるとともに、前記一回分の投入貨幣に対する同額の両替貨幣を前記繰出手段により前記収納部から前記出金口に出金させる両替動作を行わせる両替動作手段と、該両替動作が完了すると前記両替モードを自動的に解除して前記通常運用モードに復帰させる復帰手段とを有することを特徴としている。
【０００６】
請求項２に係る発明は、請求項１に係る発明において、前記両替動作手段は、前記両替モード時に前記貨幣識別計数手段による金種判定および計数の結果から前記一回分の投入貨幣が単数であると判断した場合に、前記一回分の投入貨幣と同額の予め設定された金種および枚数の組み合わせの貨幣を前記繰出手段により前記収納部から前記出金口に出金させることを特徴としている。
【０００７】
請求項３に係る発明は、請求項１または２に係る発明において、前記両替動作手段は、前記両替モード時に前記貨幣識別計数手段による金種判定および計数の結果から前記一回分の投入貨幣が複数であると判断した場合に、前記一回分の投入貨幣と同額の最少枚数となる金額の組み合わせを演算して該組み合わせの貨幣を前記繰出手段により前記収納部から前記出金口に出金させることを特徴としている。
【０００８】
請求項４に係る発明は、請求項１乃至３のいずれか一項に係る発明において、前記収納部内に各金種毎に貨幣の収納量を検出する検出手段が設けられ、前記両替動作手段は、前記指定手段で両替モードが指定された際に、いずれか一つの金種において貨幣の収納量が所定量に達したことが前記検出手段で検出された場合には、該収納量が所定量に達した前記収納部から優先的に前記繰出手段により貨幣を前記出金口に出金させることを特徴としている。
【発明の効果】
【０００９】
請求項１に係る発明によれば、指定手段で両替モードが指定されると、両替動作手段が、その後に入金口に投入された一回分の投入貨幣を貨幣識別計数手段で金種判定および計数させて収納部に収納させるとともに、この一回分の投入貨幣に対する同額の両替貨幣を繰出手段により収納部から出金口に出金させる両替動作を行わせることになる。このように両替モードを設けることによって、一台で釣銭貨幣の払い出しと貨幣の両替とを行うことができることから、両替を行うための両替専用機を導入する必要がなくなる。したがって、設置店舗のスペース効率向上と、導入コストおよび運用コストの削減とを図ることができる。また、両替モードを指定すると、直後に入金口に投入された貨幣に対し両替動作が行われ、それが完了すると自動的に両替モードが解除されて通常運用モードに戻るため、顧客が待っている際に両替が必要となっても簡単な操作で素早く両替動作を行うことができる。さらに、両替動作後は自動的に通常運用モードに戻るため、顧客との取引に際して動作モードに気を配る必要がなくなる。
【００１０】
請求項２に係る発明によれば、両替動作手段が、両替モード時に貨幣識別計数手段による金種判定および計数の結果から投入貨幣が単数であると判断した場合に、この投入貨幣と同額の予め設定された金種および枚数の組み合わせの貨幣を繰出手段により収納部から出金口に出金させる。このため、両替貨幣の金種および枚数等を設定する必要がなく、両替の操作が容易になる。
【００１１】
請求項３に係る発明によれば、両替動作手段が、両替モード時に貨幣識別計数手段による金種判定および計数の結果から投入貨幣が複数であると判断した場合に、これらの投入貨幣と同額の最少枚数となる金額の組み合わせを演算してこの組み合わせの貨幣を繰出手段により収納部から出金口に出金させる。このため、両替貨幣の金種および枚数等を設定する必要がなく、両替の操作が容易になる。
【００１２】
請求項４に係る発明によれば、両替動作手段が、指定手段で両替モードが指定された際に、いずれか一つの金種において貨幣の収納量が所定量に達したことが検出手段で検出された場合には、該収納量が所定量に達した収納部から優先的に貨幣を繰出手段により出金口に出金させる。このため、例えば収納部内が満杯になって貨幣を回収しないと運用を継続させることができない場合に、両替モードに切り替えて、両替動作を行わせることで、一時的に収納部内の貨幣を回収し、作業時間のかかる回収処理を行うことなく、運用を継続させることが可能になる。なお、この際に、自動的に収納量が所定量に達した貨幣を優先的に出金させることになり、収納部に効率良く空きスペースを確保することが可能になる。
【発明を実施するための最良の形態】
【００１３】
本発明の第１実施形態の貨幣入出金機を図１〜図５を参照して以下に説明する。
図１に示すように、第１実施形態の貨幣入出金機１０は、硬貨の入出金が可能な硬貨部１１と紙幣の入出金が可能な紙幣部１２とが一体に並設されたもので、例えばＰＯＳレジ等の上位機に接続されて釣銭機として用いられるものである。なお、以下の説明において、前は貨幣入出金機１０の操作者側、後は貨幣入出金機１０の操作者に対し反対側、左は貨幣入出金機１０の操作者から見て左、右は貨幣入出金機１０の操作者から見て右である。
【００１４】
硬貨部１１は貨幣入出金機１０の左右方向における一側具体的には右側に設けられており、紙幣部１２は左右方向における逆側具体的には左側に設けられている。
【００１５】
硬貨部１１には、前側つまり操作者側の上部の右側に、機外からバラ硬貨が金種が混在する状態で一括して投入される硬貨入金口（入金口）１５が設けられ、この硬貨入金口１５の左側に、操作者による操作入力が行われる操作部１６および操作者への表示を行う案内表示部１７が前後に並んで設けられている。また、硬貨部１１には、これら硬貨入金口１５、操作部１６および案内表示部１７の下側つまり前側の中間部の右側に、内部からバラ硬貨が機外に取出可能に出金される硬貨出金口（出金口）１８が設けられ、この硬貨出金口１８の左側にリジェクトされたリジェクト硬貨が排出される硬貨リジェクト口１９が設けられている。
【００１６】
紙幣部１２は、前側つまり操作者側の上部に、バラ紙幣が金種が混在する状態で機外から一括して投入される紙幣入金口（入金口）２１が設けられており、その下側つまり前側の中間部に内部からバラ紙幣が金種が混在する状態で出金される紙幣出金口（出金口）２２が設けられていて、この紙幣出金口２２の下側に、図２に示す紙幣リジェクト庫２３および紙幣回収庫２４が一体とされた着脱可能な紙幣回収金庫２５が設けられている。
【００１７】
まず、紙幣部１２の概略構成について図２を参照して説明する。
【００１８】
紙幣部１２は、紙幣入金口２１に投入された紙幣を１枚ずつに分離して繰り出す入金紙幣繰出部３０と、この入金紙幣繰出部３０で繰り出された紙幣を搬送する入金紙幣搬送路３１と、入金紙幣搬送路３１の途中に設けられて紙幣の真偽、金種および正損等を判定しかつ真紙幣を金種毎に計数する紙幣識別部（貨幣識別計数手段）３２とを有している。
【００１９】
また、紙幣部１２は、入金紙幣搬送路３１の紙幣識別部３２よりも下流側に設けられた振分部３４と、入金紙幣搬送路３１の振分部３４の位置から分岐する紙幣搬送路３５とを有している。紙幣搬送路３５は紙幣出金口２２に接続する出金紙幣搬送路３６に合流しており、振分部３４は、紙幣識別部３２の識別結果に応じて、偽券、汚損券および判別不能とされた紙幣を紙幣搬送路３５側へと振り分ける。そして、該偽券、汚損券および判別不能とされた紙幣は、入金紙幣搬送路３１から紙幣搬送路３５へと搬送され、出金紙幣搬送路３６を介して機外へ取出可能となるように紙幣出金口２２に繰り出される。一方、振分部３４は、真券でありかつ汚損のない正券とされた紙幣をそのまま入金紙幣搬送路３１の下流側へと導く。紙幣部１２は、この入金紙幣搬送路３１の振分部３４よりも下流側に、紙幣識別部３２の識別結果に基づいて紙幣を選別収納する入出金可能な複数具体的には三つの収納部としての紙幣収納部３８〜４０を有している。
【００２０】
つまり、紙幣部１２は、入金紙幣搬送路３１の振分部３４よりも下流側に、紙幣を分岐紙幣搬送路４３側に振り分けて最も上流側の紙幣収納部３８へと導く振分部４２を有しており、入金紙幣搬送路３１の振分部４２よりも下流側に、紙幣を分岐紙幣搬送路４５側に振り分けて中間の紙幣収納部３９へと導く振分部４４を有している。そして、入金紙幣搬送路３１の振分部４４よりも下流側には最も下流側の紙幣収納部４０が接続されている。
【００２１】
紙幣収納部３８は、上部から紙幣が１枚ずつ入金され、出金紙幣繰出部（繰出手段）４７が下部から紙幣を１枚ずつ分離して出金させる。紙幣収納部３９も、上部から紙幣が１枚ずつ入金され、出金紙幣繰出部（繰出手段）４８が下部から紙幣を１枚ずつ分離して出金させる。紙幣収納部４０も、上部から紙幣が１枚ずつ入金され、出金紙幣繰出部（繰出手段）４９が下部から紙幣を１枚ずつ分離して出金させる。
【００２２】
紙幣収納部３８の下部は繰出紙幣搬送路５０を介して、上記した紙幣出金口２２につながる出金紙幣搬送路３６に接続されている。紙幣収納部３９の下部は繰出紙幣搬送路５１を介して出金紙幣搬送路３６に接続されており、紙幣収納部４０の下部は出金紙幣搬送路３６の基端に接続されている。
【００２３】
紙幣部１２は、出金紙幣搬送路３６における紙幣搬送路３５の合流位置よりも下流側に設けられた振分部５４と、出金紙幣搬送路３６の振分部５４の位置から分岐する分岐紙幣搬送路５５とを有しており、この分岐紙幣搬送路５５には入金のみが可能な上記した紙幣回収庫２４が接続されている。振分部５４は、紙幣回収庫２４に収納させるべき紙幣を分岐紙幣搬送路５５側へ、またそれ以外の紙幣をそのまま出金紙幣搬送路３６の下流側へと振り分ける。
【００２４】
また、紙幣部１２は、出金紙幣搬送路３６における振分部５４よりも下流側に設けられた振分部５７と、出金紙幣搬送路３６の振分部５７の位置から分岐する分岐紙幣搬送路５８とを有しており、この分岐紙幣搬送路５８には入金のみが可能な紙幣リジェクト庫２３が接続されている。振分部５７は、紙幣リジェクト庫２３に収納させるべき紙幣を分岐紙幣搬送路５８側へ、またそれ以外の紙幣をそのまま出金紙幣搬送路３６の下流側つまり紙幣出金口２２側へと振り分ける。
【００２５】
なお、紙幣部１２は、入金された紙幣を出金用として使用する還流式のものであり、入金および出金が可能な三つの紙幣収納部３８〜４０に金種毎に分けて収納する。例えば、５０００円券を紙幣収納部３８に、１０００円券を紙幣収納部３９に、１００００円券を紙幣収納部４０にそれぞれ収納するようになっている。また、紙幣部１２は、紙幣収納部３８〜４０の上流側に一時貯留部は設けられておらず、紙幣識別部３２で真券でありかつ汚損のない正券と判定された紙幣をそのまま紙幣収納部３８〜４０に収納させる。なお、取り扱い数が最少の２０００円券については、入金のみが可能な紙幣回収庫２４に収納させ、還流させない。ここで、紙幣収納部３８〜４０の金種設定はこれに限らず変更可能である。
【００２６】
次に、硬貨部１１の概略構成について主に図３を参照して説明する。
【００２７】
硬貨部１１は、硬貨入金口１５に投入された硬貨を１枚ずつに分離して繰り出す入金硬貨繰出部６１と、入金硬貨繰出部６１で繰り出された硬貨を搬送する入金硬貨搬送部６２とを備えている。入金硬貨搬送部６２には、その上流側に、通過する硬貨の真偽、金種および正損等を判定しかつ真硬貨を金種毎に計数する硬貨識別部６３（貨幣識別計数手段）が設けられ、この硬貨識別部６３の下流側には硬貨を入金硬貨搬送部６２から排除可能なリジェクト部６４が設けられており、このリジェクト部６４の下流側に、硬貨を選別する選別部６５〜７１が設けられている。
【００２８】
各選別部６５〜７１で選別された硬貨は、各選別部６５〜７１に一対一で対応する各金種別の硬貨収納部（収納部）７３に収納される。図３においては図示の向きから一つの硬貨収納部７３のみが示されているが、各硬貨収納部７３はそれぞれが前後方向に沿う状態で左右方向に並べられており硬貨を金種毎に分けて収納する。リジェクト部６４で落下された硬貨はリジェクトシュート７４で前側の硬貨リジェクト口１９に案内される。例えば、硬貨収納部７３には、１円硬貨を収納させるものと、５０円硬貨を収納させるものと、５円硬貨を収納させるものと、１００円硬貨を収納させるものと、１０円硬貨を収納させるものと、５００円硬貨を収納させるものとがある。
【００２９】
各硬貨収納部７３は、それぞれの底部を形成するように前後方向に延在する状態で左右方向に並設されて正転時に硬貨出金口１８側に硬貨を搬送する無端のベルトコンベア７６と、ベルトコンベア７６の搬送方向とは逆方向に対向部分を移動させるように回転する分離ローラ７７とを有している。ここで、ベルトコンベア７６は、下流側が上側に位置するように傾斜しており、その上部側所定位置に上記した分離ローラ７７が配置されている。
【００３０】
そして、各金種別の硬貨収納部７３は、すべてのベルトコンベア７６が一度に駆動させられることでバラ硬貨を硬貨出金口１８側に搬送することになり、このとき分離ローラ７７がバラ硬貨を１枚ずつに分離する。
【００３１】
各金種別の硬貨収納部７３は、それぞれ、分離ローラ７７よりも下流側で硬貨の繰り出しを規制および許容する出金硬貨繰出部７８を有している。
【００３２】
貨幣入出金機１０の硬貨部１１と紙幣部１２とは、共通の制御部（両替動作手段，復帰手段）８１によって制御されることになり、図４に示すように、制御部８１は、制御プログラムが記憶されたＲＯＭ（記憶手段）８２と、紙幣識別部３２の識別に基づく金種別の紙幣枚数および硬貨識別部６３の識別に基づく金種別の硬貨枚数等を記憶するＲＡＭ（検出手段）８３とに通信可能に接続されている。
【００３３】
また、制御部８１は、紙幣部１２の入金系を駆動する紙幣部入金系駆動部８５と、紙幣部１２の出金系を駆動する紙幣部出金系駆動部８６と、硬貨部１１の入金系を駆動する硬貨部入金系駆動部８７と、硬貨部１１の出金系を駆動する硬貨部出金系駆動部８８とに通信可能に接続されており、これらを制御する。
【００３４】
加えて、制御部８１は、５０００円券用の紙幣収納部３８内の紙幣の収納量がフル状態にあることおよびニアフル状態にあることを検出する検出センサ（検出手段）９０と、１０００円券用の紙幣収納部３９内の紙幣の収納量がフル状態にあることおよびニアフル状態にあることを検出する検出センサ（検出手段）９１と、１００００円券用の紙幣収納部４０内の紙幣の収納量がフル状態にあることおよびニアフル状態にあることを検出する検出センサ（検出手段）９２と、２０００円券が収納される紙幣回収庫２４内の紙幣の収納量がフル状態にあることおよびニアフル状態にあることを検出する検出センサ（検出手段）９３とに通信可能に接続されている。
【００３５】
さらに、制御部８１は、１円硬貨用の硬貨収納部７３内の硬貨の収納量がフル状態にあることおよびニアフル状態にあることを検出する検出センサ（検出手段）９５と、５０円硬貨用の硬貨収納部７３内の硬貨の収納量がフル状態にあることおよびニアフル状態にあることを検出する検出センサ（検出手段）９６と、５円硬貨用の硬貨収納部７３内の硬貨の収納量がフル状態にあることおよびニアフル状態にあることを検出する検出センサ（検出手段）９７と、１００円硬貨用の硬貨収納部７３内の硬貨の収納量がフル状態にあることおよびニアフル状態にあることを検出する検出センサ（検出手段）９８と、１０円硬貨用の硬貨収納部７３内の硬貨の収納量がフル状態にあることおよびニアフル状態にあることを検出する検出センサ（検出手段）９９と、５００円硬貨用の硬貨収納部７３内の硬貨の収納量がフル状態にあることおよびニアフル状態にあることを検出する検出センサ（検出手段）１００とに通信可能に接続されている。
【００３６】
なお、フル状態とは、この状態が検出されたときにはそれ以上の貨幣の収納は不可となり制御部８１はフル状態が解消されるまでそれ以上の貨幣の収納を規制するように処理を中断する状態である。また、ニアフル状態とは、この状態が検出されたときでもそれ以上の貨幣の収納は可能であり制御部はそれ以上の貨幣の収納を許容するように処理を続行することになるが、上記したフル状態に近いことを警告する必要がある状態である。
【００３７】
ここで、制御部８１は検出センサ９０〜９３，９５〜１００の検出結果に加えてＲＡＭ８３に記憶された金種毎の収納枚数から、全紙幣収納部３８〜４０、紙幣回収庫２４および全硬貨収納部７３のフル状態およびニアフル状態を検出するようになっている。例えば、検出センサ９０〜９３，９５〜１００の検出結果およびＲＡＭ８３に記憶された金種毎の収納枚数のいずれで検出されてもフル状態およびニアフル状態と判定する。
【００３８】
加えて、制御部８１は、操作部１６と案内表示部１７とに通信可能に接続されており、操作部１６には、貨幣入出金機１０のモードを通常運用モードから両替モードに切り替える指定操作が入力される両替モード切替キー（指定手段）１０２が設けられている。
【００３９】
ＲＯＭ８２には、貨幣入出金機１０を釣銭機として作動させるための通常運用モード用のプログラムと、貨幣入出金機１０を両替機として作動させるための両替モード用のプログラムとが記憶されており、制御部８１は、両替モードの指定操作がなされた場合に、その直後に硬貨入金口１５および紙幣入金口２１に投入された貨幣を処理する場合のみ両替モード用のプログラムを読み出して実行することになり、それ以外では、通常運用モード用のプログラムを実行することになる。
【００４０】
貨幣入出金機１０は、基本的には以下の通常運用モードで運用される。
【００４１】
通常運用モード用のプログラムに基づく作動を説明する。
通常運用モードでは、貨幣入出金機１０が釣銭機として機能することになり、例えば、図示せぬ上位機で買い上げ金額が確定すると、次に、買い上げ金額に応じた貨幣が硬貨入金口１５および紙幣入金口２１の少なくともいずれか一方に投入されることになる。なお、制御部８１は、硬貨入金口１５および紙幣入金口２１への貨幣の投入にそれぞれ待ち時間を設定しており、この待ち時間内に硬貨入金口１５および紙幣入金口２１の少なくともいずれか一方に投入された貨幣については一回の投入貨幣として取り扱う。
【００４２】
そして、操作部１６に入金操作が入力されると、制御部８１は、硬貨部１１および紙幣部１２に以下の入金動作を実行させる。
【００４３】
つまり、紙幣部１２においては、紙幣入金口２１の紙幣を入金紙幣繰出部３０で１枚ずつ分離して入金紙幣搬送路３１に繰り出し、入金紙幣搬送路３１で搬送中に紙幣識別部３２で識別する。そして、紙幣識別部３２の識別結果に基づき、偽券、損券および判別不能とされた紙幣を、振分部３４にて入金紙幣搬送路３１から紙幣搬送路３５に振り分け、紙幣搬送路３５から出金紙幣搬送路３６を介して振分部５４および振分部５７にてそのまま紙幣出金口２２に繰り出すことで、機外にリジェクトする。
【００４４】
他方、紙幣識別部３２の識別結果に基づき、振分部３４は、真券かつ正券とされた紙幣をそのまま入金紙幣搬送路３１の下流側に搬送させて、紙幣収納部３８〜４０のうちの金種に応じたいずれかに上部から収納させる。つまり、５０００円券であれば、振分部４２で振り分けて分岐紙幣搬送路４３から紙幣収納部３８に収納し、１０００円券であれば、振分部４２および振分部４４で振り分けて分岐紙幣搬送路４５から紙幣収納部３９に収納し、１００００円券であれば、振分部４２および振分部４４で振り分けて入金紙幣搬送路３１を介して紙幣収納部４０に収納する。なお、制御部８１は、各紙幣収納部３８〜４０に収納された紙幣の数を把握しておりこの紙幣数から割り出される紙幣収納部３８〜４０に収納しきれないオーバーフロー紙幣と、２０００円券とについては、振分部３４にて入金紙幣搬送路３１から紙幣搬送路３５および出金紙幣搬送路３６に振り分け、さらに振分部５４にて分岐紙幣搬送路５５に振り分けて、紙幣回収庫２４に収納する。
【００４５】
制御部８１は、紙幣識別部３２の識別結果つまり金種毎の計数値をＲＡＭ８３に記憶させており、紙幣入金口２１に投入されたすべての紙幣が紙幣収納部３８〜４０、紙幣出金口２２および紙幣回収庫２４のいずれかに案内されたことがセンサにより検出されると、紙幣部１２については入金動作が完了したと判定し、今回の入金動作で入金された紙幣の合計金額を算出する。
【００４６】
上記した紙幣の入金動作と並行して、硬貨部１１では、硬貨入金口１５の硬貨を入金硬貨繰出部６１で１枚ずつ分離して入金硬貨搬送部６２に繰り出し、入金硬貨搬送部６２で搬送しつつ硬貨識別部６３で識別する。そして、硬貨識別部６３の識別結果に基づき、偽硬貨、汚損硬貨および判別不能とされた硬貨は、リジェクト部６４がリジェクトシュート７４を介して硬貨リジェクト口１９に繰り出させることで、機外にリジェクトされる。
【００４７】
他方、硬貨識別部６３の識別結果に基づき、真硬貨かつ汚損のない正硬貨とされた硬貨は、リジェクト部６４によってそのまま入金硬貨搬送部６２の下流側に移動させられる。その結果、真硬貨かつ汚損のない正硬貨とされた硬貨は、選別部６５〜７１の対応するもので選別されて各対応する金種の硬貨収納部７３に収納される。つまり、１円硬貨は１円硬貨用の硬貨収納部７３に、５０円硬貨は５０円硬貨用の硬貨収納部７３に、５円硬貨は５円硬貨用の硬貨収納部７３に、１００円硬貨は１００円硬貨用の硬貨収納部７３に、１０円硬貨は１０円硬貨用の硬貨収納部７３に、５００円硬貨は５００円硬貨用の硬貨収納部７３にそれぞれ収納される。
【００４８】
ここで、制御部８１は、硬貨識別部６３の識別結果つまり金種毎の計数値をＲＡＭ８３に記憶させており、硬貨入金口１５に投入されたすべての硬貨が硬貨収納部７３および硬貨リジェクト口１９のいずれかに案内されたことがセンサで検出されると、硬貨部１１については入金動作が完了したと判定し、今回の入金動作で入金された硬貨の合計金額を算出する。
【００４９】
そして、硬貨部１１および紙幣部１２がともに入金動作が完了すると、制御部８１は、今回の入金動作で入金された硬貨および紙幣の合計金額を算出し、案内表示部１７に表示させるとともに、その後の処理を促す表示を行う。すなわち、追加入金をするか、入金取消をするか、入金確定をするかを問う。
【００５０】
例えば、入金確定の指定操作がなされると、入金された貨幣の合計金額を上位機に送る。すると、上位機は入金された貨幣の合計金額から買い上げ金額を減算して釣銭金額を算出する。そして、釣銭金額を制御部８１に出力する。
【００５１】
すると、制御部８１は、この出金指令に基づいて紙幣部１２および硬貨部１１に最少枚数の貨幣を釣銭貨幣として出金させるように出金動作を実行させる。
【００５２】
つまり、制御部８１は、紙幣部１２において出金させる紙幣がある場合、出金紙幣繰出部４７，４８のうちの対応するものを駆動し、指定された金種の紙幣を指定された枚数だけ紙幣収納部３８，３９から繰り出させ、出金紙幣搬送路３６を介して振分部５４および振分部５７で振り分けて紙幣出金口２２に繰り出させる。その後、紙幣出金口２２から紙幣が取り除かれたことが図示せぬセンサで検出されると制御部８１は紙幣部１２についての出金動作が完了したと判定する。
【００５３】
また、制御部８１は、硬貨部１１において出金させる硬貨がある場合、上記した紙幣の出金動作と並行して、硬貨収納部７３のベルトコンベア７６をすべて駆動するとともに、硬貨収納部７３の出金硬貨繰出部７８のうちの対応するものを駆動して、指定された金種の硬貨を指定された枚数だけ硬貨収納部７３から硬貨出金口１８に繰り出させる。その後、硬貨出金口１８から硬貨が取り除かれたことが図示せぬセンサで検出されると制御部８１は硬貨部１１について出金動作が完了したと判定する。
【００５４】
そして、硬貨部１１および紙幣部１２がともに出金動作が完了すると、制御部８１は、今回の一連の釣銭支払い用の入出金動作が完了したと判定する。
【００５５】
なお、センサ９０〜９３，９５〜１００の検出結果およびＲＡＭ８３に記憶されたデータから、全紙幣収納部３８〜４０、紙幣回収庫２４および全硬貨収納部７３のうちのいずれかがフル状態になっている場合に、制御部８１はその旨を案内表示部１７に表示させることになり、全紙幣収納部３８〜４０、紙幣回収庫２４および全硬貨収納部７３のうちのいずれかがニアフル状態となっている場合にも、制御部８１はその旨を案内表示部１７に表示させることになる。
【００５６】
上記通常運用モードにおいて、制御部８１は、図５のフローチャートの制御内容を並行して行っている。
【００５７】
制御部８１は、操作部１６の両替モード切替キー１０２により両替モードの指定操作がなされたか否かを監視しており（ステップＳＡ１）、両替モードの指定操作がなされていない場合には、上記した通常運用モードでの運用を継続させる（ステップＳＡ２）。
【００５８】
ステップＳＡ１において、操作部１６の両替モード切替キー１０２により両替モードの指定操作がなされた場合に、制御部８１は両替モードに移行することになり、投入された貨幣をそれぞれの状況に応じて自動的に両替する両替動作を行う。
【００５９】
両替モードにおいて、制御部８１は、硬貨部１１および紙幣部１２の少なくともいずれか一方に貨幣が投入されたか否かセンサの出力により判定し（ステップＳＡ３）、投入されたことが検出されると、硬貨部１１および紙幣部１２のうち貨幣が投入されたものに上記と同様の入金動作を行わせる（ステップＳＡ４）。これにより、今回の両替モードで硬貨入金口１５および紙幣入金口２１の少なくともいずれか一方に投入された一回分の投入貨幣が、真偽および金種の識別および計数が行われた後に収納される。なお、制御部８１は、硬貨部１１の硬貨入金口１５および紙幣部１２の紙幣入金口２１への貨幣の投入にそれぞれ待ち時間を設定しており、この待ち時間内に硬貨入金口１５および紙幣入金口２１の少なくともいずれか一方に投入された貨幣については同じ一回の投入貨幣として取り扱う。
【００６０】
そして、入金動作が完了すると（ステップＳＡ５）、制御部８１は、今回の両替モードで投入された一回分の投入貨幣の金種および枚数の計数結果および合計金額を案内表示部１７に表示させる（ステップＳＡ６）。続いて、制御部８１は、今回の両替モードで投入された一回分の投入貨幣が、単数枚であるか複数枚であるかを判定する（ステップＳＡ７）。
【００６１】
ステップＳＡ７で単数枚であると判定した場合、今回の両替モードで投入された一回分の投入貨幣と同額の予め設定された金種および枚数の組み合わせの両替貨幣を、上記した出金動作を行うことで出金させるパターン両替を行う（ステップＳＡ８）。
【００６２】
ここで、ステップＳＡ８では、以下のように両替貨幣を設定する。
投入貨幣が１倍貨（１００００円券、１０００円券、１００円硬貨および１０円硬貨）の場合は、（一つ下の金種の貨幣×１）＋（二つ下の金種の貨幣×５）を両替貨幣とする。
また、投入貨幣が５倍貨（５０００円券、５００円硬貨、５０円硬貨および５円硬貨）の場合は、（一つ下の金種の貨幣×５）を両替貨幣とする。
さらに、投入貨幣が２０００円券の場合は、（１０００円券×２）を両替貨幣とする。
【００６３】
以上により、以下に示す両替貨幣が決められる。
【００６４】
１００００円券１枚＝５０００円券１枚＋１０００円券５枚
５０００円券１枚＝１０００円券５枚
２０００円券１枚＝１０００円券２枚
１０００円券１枚＝５００円硬貨１枚＋１００円硬貨５枚
５００円硬貨１枚＝１００円硬貨５枚
１００円硬貨１枚＝５０円硬貨１枚＋１０円硬貨５枚
５０円硬貨１枚＝１０円硬貨５枚
１０円硬貨１枚＝５円硬貨１枚＋１円硬貨５枚
５円硬貨１枚＝１円硬貨５枚
１円硬貨１枚＝１円硬貨１枚
【００６５】
他方、ステップＳＡ７で複数枚であると判定した場合、制御部８１は、今回の両替モードで投入された一回分の投入貨幣の合計金額と同額であって、出金可能な貨幣による最少枚数となる金額の組み合わせを演算して該組み合わせの両替貨幣を、上記した出金動作を行うことで出金させる（ステップＳＡ９）。つまり、今回の両替モードで硬貨入金口１５および紙幣入金口２１の少なくともいずれか一方に投入された一回分の投入貨幣の総額を高額金種順に除算していく、いわゆる逆両替を行う。この場合、通常運用モードの釣銭払い出しでは出金されることがない１００００円券用の紙幣収納部４０からも必要により紙幣が繰り出される。
【００６６】
そして、ステップＳＡ８，ＳＡ９で両替貨幣を出金させる出金動作つまり両替モード下で実行される入金動作および出金動作からなる両替動作が完了すると、制御部８１は、両替モードのプログラムを、ＲＯＭ８２から読み出される通常運用モード用のプログラムに置き換える。つまり、両替モードを自動的に解除して通常運用モードに復帰させる（ステップＳＡ１０）。その後、両替モードへの切り替え操作が入力されるまでは貨幣入出金機１０は通常運用モードで動作する。
【００６７】
以上に述べた第１実施形態の貨幣入出金機１０によれば、操作部１６の両替モード切替キー１０２で両替モードが指定されると、制御部８１が、その後に硬貨入金口１５および紙幣入金口２１の少なくともいずれか一方に投入された一回分の投入貨幣を、紙幣入金口２１に投入された紙幣については紙幣識別部３２で金種判定および計数した後に紙幣収納部３８〜４０および紙幣回収庫２４の対応するものに収納させるとともに硬貨入金口１５に投入された硬貨については硬貨識別部６３で金種判定および計数した後に硬貨収納部７３の対応するものに収納させる。そして、この一回分の投入貨幣に対する同額の両替貨幣を、紙幣については出金紙幣繰出部４７〜４９の対応するものにより紙幣収納部３８〜４０の対応するものから紙幣出金口２２に出金させるとともに硬貨については硬貨出金繰出部７８の対応するものにより硬貨収納部７３の対応するものから硬貨出金口１８に出金させる両替動作を行わせることになる。このように両替モードを設けることによって、一台で釣銭貨幣の払い出しと貨幣の両替とを行うことができることから、両替を行うための両替専用機を導入する必要がなくなる。したがって、設置店舗のスペース効率向上と、導入コストおよび運用コストの削減とを図ることができる。
【００６８】
また、両替モードを指定すると、直後に硬貨入金口１５および紙幣入金口２１に投入された貨幣に対し両替動作が行われ、それが完了すると自動的に両替モードが解除されて通常運用モードに戻るため、顧客が待っている際に両替が必要となっても簡単な操作で素早く両替動作を行うことができる。
【００６９】
さらに、両替動作後は自動的に通常運用モードに戻るため、顧客との取引に際して動作モードに気を配る必要がなくなる。加えて、通常の釣銭機として用いられる貨幣入出金機に両替モードのプログラムを書き加えるという最小限の変更で対応できる。
【００７０】
また、制御部８１が、両替モード時に紙幣識別部３２および硬貨識別部６３による金種判定および計数の結果から投入貨幣が単数であると判断した場合に、この投入貨幣と同額の予め設定された金種および枚数の組み合わせの貨幣を、紙幣の場合は紙幣出金口２２に、硬貨の場合は硬貨出金口１８に出金させるパターン両替を行う。このため、両替貨幣の金種および枚数等を設定する必要がなく、パターン両替の操作が容易になる。
【００７１】
ここで、検出センサ９０〜９２，９５〜１００の検出結果から、全紙幣収納部３８〜４０および全硬貨収納部７３のうちのいずれかがフル状態またはニアフル状態となっている場合に制御部８１はその旨を案内表示部１７に表示させることになるが、これを見た操作者が、両替モードに切り替えて、フル状態またはニアフル状態の金種よりも高額の貨幣を１枚投入すれば、投入貨幣が少額貨幣であるフル状態またはニアフル状態の金種の貨幣から払い出されることになり、フル状態またはニアフル状態の金種の貨幣について回収作業を行うことなく、貨幣入出金機１０の運用を継続させることが可能になる。これは、全紙幣収納部３８〜４０および全硬貨収納部７３のうちのいずれかがフル状態となっている場合に制御部８１は通常の運用を中断させてしまうことになり、回収作業等を行ってフル状態の貨幣を減らさないと通常の運用を再開させることはできないが、両替モードで両替をすることでフル状態またはニアフル状態の貨幣を減らすことができる。つまり、客を待たせて貨幣の回収作業を行うことは好ましくなく、また回収のみを行うと貨幣入出金機１０内の在り高をむやみに減らしてしまうことになり、管理上好ましくないが、両替であれば、両替用に僅かな貨幣を貨幣入出金機１０の近くに保管しておくことで、素早く、しかも貨幣入出金機１０内の在り高をむやみに減らすことなく、フル状態またはニアフル状態の貨幣を減らすことができるのである。
【００７２】
また、制御部８１が、両替モード時に紙幣識別部３２および硬貨識別部６３による金種判定および計数の結果から投入貨幣が複数であると判断した場合に、これらの投入貨幣と同額の最少枚数となる金額の組み合わせを演算してこの組み合わせの貨幣を、紙幣の場合は紙幣出金口２２に、硬貨の場合は硬貨出金口１８に出金させる。このため、両替貨幣の金種および枚数等を設定する必要がなく、逆両替の操作が容易になる。
【００７３】
ここで、検出センサ９０〜９２，９５〜１００の検出結果から、全紙幣収納部３８〜４０および全硬貨収納部７３のうちのいずれかが空となっている場合に制御部８１はその旨を案内表示部１７に表示させることになるが、これを見た操作者が、両替モードに切り替えて、空状態の金種を含む貨幣を複数枚投入すれば、これら貨幣がより高額の貨幣に置き換えられて払い出されることになり、これら投入貨幣が空状態の部分に収納されることになって、空状態の金種の貨幣について補充作業を行うことなく、貨幣入出金機１０の運用を継続させることが可能になる。これは、紙幣収納部３８〜４０および硬貨収納部７３のうちのいずれかが空状態となっている場合に制御部８１は通常の運用を中断させてしまうことになり、補充作業等を行って空状態の貨幣を補充しないと通常の運用を再開させることはできないが、両替モードで両替をすることで空の貨幣を補充することができる。つまり、客を待たせて貨幣の補充作業を行うことは好ましくなく、また補充のみを行うと貨幣入出金機１０内の在り高をむやみに増やしてしまうことになり、管理上好ましくないが、両替であれば、両替用に僅かな貨幣を貨幣入出金機１０の近くに保管しておくことで、素早く、しかも貨幣入出金機１０内の在り高をむやみに増やすことなく、空状態の貨幣を補充することができるのである。
【００７４】
また、よりシンプルな両替処理を行うために、上記したステップＳＡ６で、金種および枚数の計数結果を案内表示部１７に表示させた後、自動的に、ステップＳＡ７以降で、貨幣の枚数判断および両替貨幣の払い出しを行うようにしたが、投入金額の確認を行わせるようにしても良い。つまり、ステップＳＡ６の後、投入金額を了解する旨の操作入力が入力された場合に限りステップＳＡ７以降を実行し、投入金額を了解せず、再投入や取消等の操作入力が入力された場合は、それぞれ任意の処理を行えるようにしても良い。
【００７５】
なお、両替モードへの切り替えを操作部１６の両替モード切替キー１０２による指定操作で行う以外に、他の種々の切り替え方式を採用することもできる。
【００７６】
本発明の第２実施形態の貨幣入出金機を主に図６を参照して第１実施形態との相違部分を中心に以下に説明する。なお、第１実施形態と同様の部分には同一の符号を付しその説明は略す。
【００７７】
第２実施形態の貨幣入出金機は、第１実施形態に対して両替モードの制御内容が相違している。
【００７８】
第２実施形態では、上記したステップＳＡ１の後、検出センサ９０〜９２，９５〜１００の検出結果およびＲＡＭ８３に記憶された金種毎の収納枚数から、全紙幣収納部３８〜４０および全硬貨収納部７３のうちのいずれかの収納量が所定の基準量（フル状態またはニアフル状態）に達したか否かを判定し（ステップＳＢ１）、いずれも基準量に達していない場合、ステップＳＢ２で通常両替モードのプログラムをＲＯＭ８２から読み出すとともに通常両替モードである旨を案内表示部１７に表示させ、その後、上記と同様のステップＳＡ３〜ＳＡ１０によって、上記した通常の両替モードと同様の処理を行う。なお、検出センサ９０〜９２，９５〜１００の検出結果およびＲＡＭ８３に記憶された金種毎の収納枚数の一方のみで検出されても基準量に達したと判定する。
【００７９】
他方、ステップＳＢ１でいずれかが基準量に達している場合に、制御部８１は、ステップＳＢ３に進み、全紙幣収納部３８〜４０および全硬貨収納部７３のうち基準量に達したことが検知されたものからの貨幣を優先的に出金させる多貨幣優先出金モードのプログラムをＲＯＭ８２から読み出すとともに多貨幣優先出金モードである旨を案内表示部１７に表示させ、その後、上記のステップＳＡ３〜ＳＡ６と同様のステップＳＢ４〜ＳＢ７の入金動作を行い、ステップＳＢ８において、多貨幣優先出金モードのプログラムで両替貨幣を出金させる。
【００８０】
ここで、ステップＳＢ８では、以下のように両替貨幣を設定する。
「投入貨幣の総額」÷「収納量が基準量に達した金種の単位金額」の商を「算出枚数」とする。
次に、「算出枚数」＜「最大払出枚数」の場合は、「算出枚数」＝「両替枚数」にするとともに、「投入貨幣の総額」−「収納量が基準量に達した金種の単位金額×両替枚数」＝「両替残金額」とする。なお、最大払出枚数は金種毎に予め設定されるものである。
【００８１】
他方、「算出枚数」＞「最大払出枚数」の場合は、「最大払出枚数」＝「両替枚数」にするとともに、「投入貨幣の総額」−「収納量が基準量に達した金種の単位金額×両替枚数」＝「両替残金額」とする。
【００８２】
そして、いずれにおいても、収納量が基準量に達した金種の貨幣を設定された「両替枚数」だけ出金させるとともに、「両替残金額」＞０の場合は、両替残金額を、出金可能な貨幣の最少枚数で支払うように設定し出金させる。
【００８３】
具体的に例示すれば、両替モードにおいて、例えば、検出センサ９８の検出状態またはＲＡＭ８３に記憶された収納枚数から１００円硬貨の硬貨収納部７３がフル状態またはニアフル状態となる所定の基準量に達したことが検知された状態にある場合、投入貨幣として１０００円券１枚が投入されたとすると、通常は５００円硬貨１枚と１００円硬貨５枚を両替貨幣として払い出すが、１００円硬貨１０枚を両替貨幣として払い出すことになる。
【００８４】
ここで、５００円硬貨以外の硬貨については上記した最大払出枚数が１金種あたり５０枚に設定されており、例えば１００円硬貨の硬貨収納部７３がフル状態またはニアフル状態となる所定の基準量に達したことが検出された状態にある場合、投入貨幣として１００００円券１枚が投入されたとすると、通常は５０００円券１枚と１０００円券５枚を両替貨幣として払い出すが、１００円硬貨５０枚と５０００円券１枚とを両替貨幣として払い出すことになる。つまり、所定の基準量に達した貨幣と、残りを最少枚数になるような金種の組み合わせにして両替貨幣として払い出す。なお、５００円硬貨のみ、最大払出枚数が３０枚に設定されている。
【００８５】
ここで、最大払出枚数は、この枚数の貨幣を放出しても収納部に残る貨幣量が極端に減ることにならず以後の取引に支障のない程度の数量であって、しかも硬貨出金口１８および紙幣出金口２２の容量を超えない数量に設定される。このような条件を満足すれば、最大払出枚数を上記に対し変更することも勿論可能である。
【００８６】
多貨幣優先出金モードに移行した際に、所定の基準量に達した金種の貨幣を効率良く両替により放出させることができるように、投入すべき金額を案内表示部１７に表示させるようにした方が良い。
【００８７】
すなわち、上記した例では、１００円硬貨が基準量に達した場合に、１００円硬貨５０枚分の金額、つまり５千円分の貨幣（１００円より高い貨幣）の投入を促す表示を行わせるのである。これにより、操作者は、多貨幣優先出金モードに移行したこと、および基準量に達した金種を把握できるとともに、基準量に達した金種の貨幣を効率良く両替放出させることのできる金額を容易に把握することが可能になる。そして、この金額分の貨幣が硬貨入金口１５および紙幣入金口２１の少なくともいずれか一方に投入されることで、基準量に達した貨幣の金種の収納部にほどよい収納可能空間を形成することができる。
【００８８】
つまり、上記した例では、１００円硬貨が基準量に達した場合に、千円分の貨幣である１０００円券１枚または５００円硬貨２枚が投入されると、１００円硬貨は１０枚しか両替放出されず、その後の取引によってはあまり時間が経過しない段階で再度基準量に達してしまう可能性が高いが、投入すべき金額を案内表示部１７に表示させることで、基準量に達した貨幣の金種の収納部にほどよい収納可能空間を形成することができる。
【００８９】
以上により、基準量に達した場合に案内表示部１７に表示させる表示は以下のようになる。
【００９０】
１円硬貨基準量到達検知・・・５０円投入指示表示
５円硬貨基準量到達検知・・・２５０円投入指示表示
１０円硬貨基準量到達検知・・・５００円投入指示表示
５０円硬貨基準量到達検知・・・２５００円投入指示表示
１００円硬貨基準量到達検知・・・５０００円投入指示表示
５００円硬貨基準量到達検知・・・２５０００円投入指示表示
１０００円券基準量到達検知・・・５００００円投入指示表示
５０００円券基準量到達検知・・・２５００００円投入指示表示
１００００円券基準量到達検知・・・紙幣回収庫２４への移動操作指示表示（例えば５０枚）
【００９１】
なお、入金処理時に２０００円券を紙幣回収庫２４ではなく５０００円券と共通の紙幣収納部３８に収納させるようにすることも可能であるが、出金用の紙幣を識別する出金識別部が設けられていないため、この紙幣収納部３８から紙幣を出金させることはできなくなる。よって、通常運用モードおよび両替モードのいずれにおいても紙幣収納部３８以外の紙幣収納部３９，４０からのみ、つまり１０００円券と１００００円券とを繰り出させることになる。
【００９２】
また、２０００円券専用の紙幣収納部が設けられる場合には、１０００円券および５０００円券と同様な制御、つまり投入指示金額（１０００００円）を表示することが可能である。
【００９３】
紙幣については、紙幣回収庫２４があることから、紙幣回収庫２４への回収を優先させるように設定しても良い。つまり、紙幣収納部３８〜４０のいずれかでフル状態またはニアフル状態となる基準量に達した場合には自動的にモードが切り替わり、所定枚数の紙幣が紙幣回収庫２４へと自動的に移動させられ、移動終了後、自動的に元のモードに復帰するように設定するのである。
【００９４】
この場合、紙幣回収庫２４がフル状態になると、紙幣回収庫２４の回収すなわち紙幣回収庫２４の交換の指示表示を行う。
【００９５】
また、上記のように基準量に達したことが検知されて投入すべき金額を案内表示部１７に表示させた場合に、これを超える投入金額があった場合には、その差額については、基準量に達したことが検知された金種を除いた金種によって、最少枚数払いとなる金種および枚数の組み合わせを算出して両替放出する。
【００９６】
加えて、収納量が基準量に達したか否かの判定は検出センサおよび計数結果の少なくともいずれか一方に基づいて行えば良い。
【図面の簡単な説明】
【００９７】
【図１】本発明の第１実施形態の貨幣入出金機を示す斜視図である。
【図２】本発明の第１実施形態の貨幣入出金機の紙幣部を概略的に示す側断面図である。
【図３】本発明の第１実施形態の貨幣入出金機の硬貨部を概略的に示す側断面図である。
【図４】本発明の第１実施形態の貨幣入出金機の制御系ブロック図である。
【図５】本発明の第１実施形態の貨幣入出金機の両替モードの制御内容を示すフローチャートである。
【図６】本発明の第２実施形態の貨幣入出金機の両替モードの制御内容を示すフローチャートである。
【符号の説明】
【００９８】
１０  貨幣入出金機
１５  硬貨入金口（入金口）
１８  硬貨出金口（出金部）
２１  紙幣入金口（入金口）
２２  紙幣出金口（出金部）
３２  紙幣識別部（貨幣識別計数手段）
３８〜４０  紙幣収納部（収納部）
４７〜４９  出金紙幣繰出部（繰出手段）
６３  硬貨識別部（貨幣識別計数手段）
７３  硬貨収納部（収納部）
８１  制御部（両替動作手段，復帰手段）
８３  ＲＡＭ（検出手段）
９０〜９３，９５〜１００  検出センサ（検出手段）
１０２  両替モード切替キー（指定手段）
【図１】
2005275746.tif 000003
【図２】
2005275746.tif 000004
【図３】
2005275746.tif 000005
【図４】
2005275746.tif 000006
【図５】
2005275746.tif 000007
【図６】
2005275746.tif 000008